(57)【特許請求の範囲】
【請求項１】
前方に設けられた大径部と後方端部に設けられた頭部との間に小径の首部を設けた操作軸と、一端が開放された溝部と外周に設けられた張り出し部を有する板状の駆動体と、前記操作軸に取り付けられた前記駆動体の軸方向の移動により操作されるプッシュスイッチと、中心部に孔を設けた板状部と筒部とを有し前記操作軸の回転に伴い回転する回転体とを備え、前記操作軸の軸方向に対して直角方向から前記駆動体の溝部を前記首部に嵌合して、前記大径部と前記頭部との間で前記駆動体を挟持して取り付けると共に、前記駆動体に設けられた張り出し部が前記回転体の筒部内に設けられた溝に挿通され、両者がスプライン結合されており、前記操作軸の回転時に、前記駆動体を介して前記回転体が回転するようにしたことを特徴とするプッシュスイッチ付き回転型電気部品。
【請求項２】
前記頭部は非円形状をなし、また、前記駆動体の後面には、非円形状の凹部を設け、該凹部に前記頭部を嵌合させて、前記頭部の後端面と前記駆動体の後端面とを面一になるように構成したことを特徴とする請求項１記載のプッシュスイッチ付き回転型電気部品。
【請求項３】
前記駆動体の溝部に凸部を設け、前記溝部の奥部と前記凸部とで前記首部を保持して、前記操作軸から軸方向に対して直角方向における駆動体の抜け止めを行うようにしたことを特徴とする請求項１、又は２記載のプッシュスイッチ付き回転型電気部品。
【請求項４】
前記駆動体を直接、もしくは間接的に、前記操作軸を回転可能に保持する軸受けに当接させて、前記駆動体に前記操作軸の前記軸受けからの抜け止め機能を兼用させたことを特徴とする請求項１、又は２、又は３記載のプッシュスイッチ付き回転型電気部品。
【発明の詳細な説明】
【０００１】
【発明の属する技術分野】
本発明は、音響機器等に使用されるプッシュスイッチ付き回転型電気部品に関する。
【０００２】
【従来の技術】
従来のプッシュスイッチ付き回転型電気部品を図２３において説明すると、回転と軸方向に移動可能な軸５１は、端部に設けられた二股状をなす凸部５１ａと、凸部５１ａの根本部に設けられた溝部５１ｂとを有し、この軸５１は、軸受け５２の孔５２ａに挿通され、リング状の止め具５３を溝部５１ｂに嵌入して、軸受け５２に取り付けられている。
また、合成樹脂の成形品からなる駆動体５４は、一対の孔５４ａと、外周部に設けられた一対の凸部５４ｂを有し、この駆動体５４は、孔５４ａに軸５１の凸部５１ａを嵌入して、軸５１に取り付けられている。
そして、この駆動体５４の軸５１への取付は、駆動体５４を軸方向の後方から凸部５１ａに嵌合して取り付けられ、駆動体５４が凸部５１ａに対して軸方向に動き得る状態となっている。
【０００３】
また、合成樹脂の成形品からなる回転体５５は、中心部に孔を設けた板状部５５ａと、筒部５５ｂと、板状部５５ａに設けられた凹凸部５５ｃとを有し、この回転体５５は、筒部５５ｂを軸受け５２内に挿入して、回転可能に取り付けられている。
この時、筒部５５ｂ内には駆動体５４が配設されて、駆動体５４の凸部５４ｂが筒部５５ｂの内側に設けた溝に挿通され、両者はスプライン結合され、軸５１の回転時、駆動体５４を介して回転体５５が回転できるようになっている。
また、金属板からなる導電パターン部５６が回転体５５に埋設され、この導電パターン部５６は回転体５５の裏面に露出すると共に、回転体５５の板状部５５ａと軸受け５２との間には、バネ板５７が設けられ、回転体５５の回転時、凹凸部５５ｃがバネ板５７に係脱して、回転体５５の回転に節度を持たせるようになっている。
【０００４】
また、合成樹脂の成形品からなり、中央部に凹部５８ａを有するケース５８には、金属板からなる一対の固定接点５９、６０と、金属のバネ板からなる接片６１が埋設され、このケース５８は、軸受け５２に適宜手段により取り付けられ、このケース５８が取り付けられた時、接片６１は、導電パターン部５６に接離可能となり、回転体５５に設けた導電パターン部５６と接片６１とで、回転型電気部品であるエンコーダを形成している。
また、金属のバネ板からなり、腕部６２ａを有する可動接点６２は、ケース５８の凹部５８ａ内に収納され、この可動接点６２は、その周辺部が一方の固定接点５９に常時接触すると共に、腕部６２ａがもう一方の固定接点６０から離れて、対向した状態となっている。
【０００５】
また、ゴムからなるドーム状のゴム部材６３は、ケース５８の凹部５８ａに位置した状態で、ケース５８と駆動体５４との間に配置され、このゴム部材６３により、常時、駆動体５４と軸５１が前方に押されて、止め具５３が軸受け５２に当接した状態となっている。
そして、ゴム部材６３が下方に変形して、可動接点６２の腕部６２ａを押圧した時は、腕部６２ａが固定接点６０に接触して、固定接点５９と６０間をＯＮとし、ゴム部材６３が自己のバネ性で元の状態に戻ると、腕部６２ａも元に戻り、固定接点５９と６０間はＯＦＦとなり、固定接点５９、６０と可動接点６２とでプッシュスイッチが形成されている。
また、合成樹脂の成形品からなるカバー６４は、ケース５８の後部に載置されて固定接点５９、６０の後方部を覆っている。
また、金属板からなる取付板６５は、軸受け５２の前面に載置されて、腕部（図示せず）により、軸受け５２、ケース５８、カバー６４を一体的に組み合わせている。
【０００６】
そして、軸５１を回転すると、駆動体５４を介して回転体５５が回転すると共に、導電パターン部５６も回転し、導電パターン部５６が接片６１に接離して、回転型電気部品であるエンコーダの操作が行われる。
また、軸５１をプッシュすると、駆動体５４を介してゴム部材６３が変形して、ゴム部材６３が腕部６２ａを押圧し、固定接点５９と６０がＯＮとなり、次に、軸５１のプッシュを解除すると、ゴム部材６３が自己のバネ性で元の状態に戻ると、腕部６２ａも元に戻り、固定接点５９と６０間はＯＦＦとなり、プッシュスイッチの操作が行われる。
【０００７】
【発明が解決しようとする課題】
従来のプッシュスイッチ付き回転型電気部品は、駆動体５４が軸５１の凸部５１ａに、軸方向から取り付けるようになっているため、駆動体５４の保持のために軸方向に大きな寸法を必要とし、軸方向に大型になるという問題がある。
また、駆動体５４が軸方向から取り付けられるため、これが駆動体５４の操作時の動きと同一の保持のため、寸法を小さくした場合には、長期の使用において、駆動体５４と凸部５１ａとの間の摩耗が著しく、駆動体５４にガタツキを生じるという問題がある。
また、軸５１の抜け止めを行うために、駆動体５４の他に止め具５３を必要とし、部品点数が多くなって、生産性が悪く、コスト高になるという問題がある。
【０００８】
【課題を解決するための手段】
上記課題を解決するための第１の解決手段として、前方に設けられた大径部と後方端部に設けられた頭部との間に小径の首部を設けた操作軸と、一端が開放された溝部と外周に設けられた張り出し部を有する板状の駆動体と、前記操作軸に取り付けられた前記駆動体の軸方向の移動により操作されるプッシュスイッチと、中心部に孔を設けた板状部と筒部とを有し前記操作軸の回転に伴い回転する回転体とを備え、前記操作軸の軸方向に対して直角方向から前記駆動体の溝部を前記首部に嵌合して、前記大径部と前記頭部との間で前記駆動体を挟持して取り付けると共に、前記駆動体に設けられた張り出し部が前記回転体の筒部内に設けられた溝に挿通され、両者がスプライン結合されており、前記操作軸の回転時に、前記駆動体を介して前記回転体が回転するようにした構成とした。
また、第２の解決手段として、前記頭部は非円形状をなし、また、前記駆動体の後面には、非円形状の凹部を設け、該凹部に前記頭部を嵌合させて、前記頭部の後端面と前記駆動体の後端面とを面一になるように構成した構成とした。
また、第３の解決手段として、前記駆動体の溝部に凸部を設け、前記溝部の奥部と前記凸部とで前記首部を保持して、前記操作軸から軸方向に対して直角方向における駆動体の抜け止めを行うようにした構成とした。
また、第４の解決手段として、前記駆動体を直接、もしくは間接的に、前記操作軸を回転可能に保持する軸受けに当接させて、前記駆動体に前記操作軸の前記軸受けからの抜け止め機能を兼用させた構成とした。
【０００９】
【発明の実施の形態】
本発明のプッシュスイッチ付き回転型電気部品の１実施例を図１〜図３に基づいて説明すると、図１は本発明のプッシュスイッチ付き回転型電気部品の１実施例を示す断面図、図２は本発明のプッシュスイッチ付き回転型電気部品の１実施例における駆動体と操作軸の要部の分解斜視図、図３は本発明のプッシュスイッチ付き回転型電気部品の１実施例における駆動体と操作軸の要部の斜視図である。
【００１０】
次に、図１〜図３において本発明のプッシュスイッチ付き回転型電気部品を説明すると、亜鉛ダイキャスト等の成形品からなる軸受け１は、中心部に設けられた孔１ａと、この孔１ａに連通して、後部に設けられた凹状の収容部１ｂとを有している。
また、亜鉛ダイキャスト等の成形品からなる操作軸２は、前方に設けられた大径部２ａと、スリ落とし等によって大径部２ａの側部に形成された平坦部を有する非円形部２ｂと、後方端部に設けられ、側部が前記平坦部を形成するスリ落とし加工と同時の工程で平坦状に形成され、断面が非円形状の頭部２ｃと、頭部２ｃと大径部２ａとを連結し、両者よりも小径で形成された首部２ｄとを有し、この操作軸２は、外部に突出する部分において、軸受け１の孔１ａより太い部分があるため、軸受け１の孔１ａに頭部２ｃ側から挿入して、回転と軸方向の移動が可能に軸受け１に取り付けられている。
【００１１】
また、亜鉛ダイキャスト、合成樹脂等の成形品からなる駆動体３は、図２に示すように、板状部３ａと、板状部３ａに設けられ、一端が開放された溝部３ｂと、溝部３ｂに設けられた凸部３ｃと、板状部３ａの後面に設けられた非円形状の凹部３ｄと、板状部３ａの外周に設けられた一対の張り出し部３ｅとを有している。  そして、この駆動体３は、操作軸２の軸方向に対して直角方向から溝部３ｂを首部２ｄに嵌合し、大径部２ａと頭部２ｃとで板状部３ａを挟持して、駆動体３が操作軸２に取り付けられている。
そして、駆動体３が取り付けられた際、首部２ｄは凸部３ｃを乗り越えて溝部３ｂの奥部に位置し、溝部３ｂの奥部と凸部３ｃとで首部２ｄを保持して、駆動体３が操作軸２から抜けないようにすると共に、非円形状の頭部２ｃが非円形状の凹部３ｄ内に嵌合して、操作軸２の回転動作を駆動体３に伝達できるようにし、且つ、頭部２ｃの後端面と駆動体３の後端面とが面一になるように構成されている。
そして、このような駆動体３は、軸受け１の収容部１ｂ内に配置され、駆動体３が軸受け１に当接することにより、操作軸２の抜け止めを行うようになっている。
【００１２】
また、合成樹脂の成形品からなる回転体４は、中心部に孔を設けた板状部４ａと、筒部４ｂと、板状部４ａに設けられた凹凸部４ｃとを有し、この回転体４は、筒部４ｂを軸受け１の収容部１ｂの孔１ａ側に設けられた孔に挿入して、回転可能に取り付けられている。
この時、筒部４ｂ内には駆動体３が配設されて、駆動体３の張り出し部３ｅが筒部４ｂ内の溝に挿通され、両者はスプライン結合され、操作軸２の回転時、駆動体３を介して回転体４が回転できるようになっている。
また、金属板からなる導電パターン部５が回転体４に埋設され、この導電パターン部５は回転体４の裏面に露出すると共に、回転体４の板状部４ａと軸受け１との間には、バネ板６が設けられ、回転体４の回転時、凹凸部４ｃがバネ板６に係脱して、回転体４の回転に節度を持たせるようになっている。
【００１３】
また、合成樹脂の成形品からなり、中央部に凹部７ａを有するケース７には、金属板からなる一対の固定接点８、９と、金属のバネ板からなる接片１０が埋設され、このケース７は、軸受け１に適宜手段により取り付けられ、このケース７が取り付けられた時、接片１０は、導電パターン部５に接離可能となり、回転体４に設けた導電パターン部５と接片１０とで、回転型電気部品であるエンコーダを形成している。
また、金属のバネ板からなり、腕部１１ａを有する可動接点１１は、ケース７の凹部７ａ内に収納され、この可動接点１１は、その周辺部が一方の固定接点８に常時接触すると共に、腕部１１ａがもう一方の固定接点９から離れて、対向した状態となっている。
【００１４】
また、ゴムからなるドーム状のゴム部材１２は、ケース７の凹部７ａに位置した状態で、ケース７と駆動体３との間に配置され、このゴム部材１２により、常時、駆動体３と操作軸２が前方に押されて、駆動体３が軸受け１に当接した状態となっている。
そして、ゴム部材１２が下方に変形して、可動接点１１の腕部１１ａを押圧した時は、腕部１１ａが固定接点９に接触して、固定接点８と９間をＯＮとし、ゴム部材１２が自己のバネ性で元の状態に戻ると、腕部１１ａも元に戻り、固定接点８と９間はＯＦＦとなり、固定接点８、９と可動接点１１とでプッシュスイッチが形成されている。
また、合成樹脂の成形品からなるカバー１３は、ケース７の後部に載置されて固定接点８、９の後方部を覆っている。
また、金属板からなる取付板１４は、軸受け１の前面に載置されて、腕部（図示せず）により、軸受け１、ケース７、カバー１３を一体的に組み合わせている。
【００１５】
そして、操作軸２を回転すると、駆動体３を介して回転体４が回転すると共に、導電パターン部５も回転し、導電パターン部５が接片１０に接離して、回転型電気部品であるエンコーダの操作が行われる。
また、操作軸２をプッシュすると、駆動体３を介してゴム部材１２が変形して、ゴム部材１２が腕部１１ａを押圧し、固定接点８、９がＯＮとなり、次に、操作軸２のプッシュを解除すると、ゴム部材１２が自己のバネ性で元の状態に戻ると、腕部１１ａも元に戻り、固定接点８、９間はＯＦＦとなり、プッシュスイッチの操作が行われる。
なお、頭部２ｃの外径と、ゴム部材１２の円形の上面は、ほぼ同径であるが、この頭部２ｃの両側面の平坦部間の距離は短い。
従って、両者のセンターズレがある場合には、駆動体３がないとゴム部材１２の上面を垂直に押すことができず、傾いた状態で押されることとなるので、操作感が悪くなり、寿命の低下を来すが、本実施例においては、頭部２ｃの後端面と駆動体３の後端面が面一になるように構成されて、ゴム部材１２の上面を押すことになり、十分に広い面での押圧となるから垂直に押圧可能となり、そのような問題はない。
このようにして、プッシュスイッチ付き回転型電気部品の操作が行われるようになっている。
【００１６】
また、図４〜図２２は本発明のプッシュスイッチ付き回転型電気部品に関連する参考例を示し、図４は要部断面図、図５は動作を説明するための要部断面図、図６は操作軸と駆動体の分解斜視図、図７は操作軸と駆動体の要部の斜視図、図８は軸受けの平面図、図９は図８の９ー９線における断面図、図１０は絶縁基体の平面図、図１１は絶縁基体の正面図、図１２は第１の回転体にバネ板を取り付けた状態を示す平面図、図１３は第１の回転体にバネ板を取り付けた状態を示す側面図、図１４は支持部材の裏面図、図１５は図１４の１５ー１５線における断面図、図１６は歯車の平面図、図１７は図１６の１７ー１７線における断面図、図１８は第２の回転体の平面図、図１９は第２の回転体の側面図、図２０は第２の回転体の下面図、図２１は取付板の平面図、図２２は取付板の側面図である。
【００１７】
次に、図４〜図２２において本発明のプッシュスイッチ付き回転型電気部品に関連する参考例を説明すると、亜鉛ダイキャスト等の成形品からなる軸受け２１は、特に図８、図９に示すように、中心部に孔２１ａが設けられ、また、操作軸２２は、特に図６に示すように、前方に設けられた大径部２２ａと、スリ落とし加工等によって大径部２２ａの側部に平坦部が形成された非円形部２２ｂと、後方端部に設けられ、側部が前記平坦部を形成するスリ落とし加工と同じ工程で平坦状に形成され、断面が非円形状の頭部２２ｃと、頭部２２ｃと大径部２２ａとを連結し、両者よりも小径で形成された首部２２ｄとを有し、この操作軸２２は、外部に突出する部分が軸受け２１の孔２１ａより太い部分を有するので、軸受け２１の孔２１ａに頭部２２ｃ側から挿入して、回転と軸方向の移動が可能に軸受け２１に取り付けられている。
【００１８】
また、一面に抵抗体（図示せず）が設けられ、中心部に孔２３ａを有する絶縁基板２３には、抵抗体に接続された状態で端子２４が固着され、この絶縁基板２３の外周部と端子２４は、図４、図１０、図１１に示すように、合成樹脂の成形品からなり、後部の凹部２５ａにストッパー部２５ｂを設けた絶縁基体２５に埋設されて一体化され、このような絶縁基体２５は、孔２３ａに操作軸２２を挿通した状態で、軸受け２１の後部に重ね合わされて取り付けられている。
また、合成樹脂の成形品からなる回転部２６は、板状部２６ａと、板状部２６ａから後方に延び、溝を有する筒部２６ｂとを有し、この回転部２６は、筒部２６ｂに操作軸２２が挿通された状態で軸受け２１と絶縁基板２３との間に配置されると共に、筒部２６ｂが絶縁基板２３の孔２３ａに挿入されて、回転部２６は回転可能に取り付けられている。
【００１９】
また、金属のバネ板からなる摺動子２７は、回転部２６の板状部２６ａに取り付けられて、抵抗体上を摺動するようになっている。
金属のダイキャスト、或いは合成樹脂の成形品等からなる第１の回転体２８は、図４、図１２、図１３に示すように、前方に設けられた凸部２８ａと、中心部に設けられた孔２８ｂと、後部に設けられ、内周面に歯車部２８ｃを有する収容部２８ｄと、外周面に設けられたストッパー部２８ｅとを有している。
そして、この回転体２８は、孔２８ｂに操作軸２２を挿通した状態で、凸部２８ａが回転部２６の筒部２６ｂの溝と係合し、回転体２８からの回転を回転部２６に伝達できるようになっており、この回転体２８と回転部２６とで、回転部材が形成された構成となっていると共に、この回転部材と摺動子２７と抵抗体とで、回転型電気部品である可変抵抗器が形成されている。
【００２０】
また、金属板からなるバネ板２９はリング状をなすと共に凸部２９ａを有し、このバネ板２９は、図１２、図１３に示すように、回転体２８の後部にカシメ等によって取り付けられている。
また、合成樹脂の成形品からなり、スペーサを兼ねる矩形の支持部材３０は、図４、図１４、図１５に示すように、中心部に設けた収容部３０ａと、前方の窪み部３０ｂ内に設けた一対の溝部３０ｃとを有する。
そして、この支持部材３０は、絶縁基体２５の後部に重ね合わせて載置されて取り付けられている。
そして、取り付けられた時、バネ板２９が窪み部３０ｂの内面に当接し、回転体２８の回転によってバネ板２９が回転した時、バネ板２９の凸部２９ａが溝部３０ｃに係脱して、クリック感を持たせるようになっており、このクリック感は、抵抗体のセンターの位置で行うようになっている。
【００２１】
また、コイルバネ３１は、操作軸２２の後部に挿入されて取り付けられ、そして、コイルバネ３１は、回転体２８の収容部２８ｄに収容された状態で、その一端が収容部２８ｄの底部に当接した状態となっている。
また、外周に歯部を設けた歯車３２は、図４、図１６、図１７に示すように、中心部に小判型の非円形孔３２ａを有し、この歯車３２は、非円形孔３２ａに操作軸２２の非円形部２２ｂを挿通して、操作軸２２に取り付けられて、支持部材３０の収容部３０ａ内に収容されている。
そして、この歯車３２は、操作軸２２の回転に追従して回転すると共に、操作軸２２が軸方向に移動した時、操作軸２２と歯車３２との間で摺動動作を行わしめて、操作軸２２の軸方向の移動を可能とし、更に、歯車３２には、コイルバネ３１の他端か当接した状態となっている。
【００２２】
また、亜鉛ダイキャスト、合成樹脂等の成形品からなる駆動体３３は、図４、図６、図７に示すように、板状部３３ａと、板状部３３ａに設けられ、一端が開放された溝部３３ｂと、溝部３３ｂに設けられた凸部３３ｃと、板状部３３ａの後面に設けられた非円形状の凹部３３ｄとを有している。
そして、この駆動体３３は、操作軸２２の軸方向に対して直角方向から溝部３３ｂを首部２２ｃに嵌合し、大径部２２ａと頭部２２ｃとで板状部３３ａを挟持して、駆動体３３が操作軸２２に取り付けられている。
そして、駆動体３３が取り付けられた際、首部２２ｄは凸部３３ｃを乗り越えて溝部３３ｂの奥部に位置し、溝部３３ｂの奥部と凸部３３ｃとで首部２２ｄを保持して、駆動体３３が操作軸２２から抜けないようにすると共に、非円形状の頭部２２ｃが非円形状の凹部３３ｄ内に嵌合して、操作軸２２の回転動作を駆動体３３に伝達できるようにし、且つ、頭部２２ｃの後端面と駆動体３３の後端面とが面一になるように構成されている。
そして、このような駆動体３３は、支持部材３０の収容部３０ａ内に配置された状態となり、また、この駆動体３３は、歯車３２とコイルバネ３１の操作軸２２からの抜け止めを行うと共に、軸受け２１からの操作軸２の抜け止めを行っている。
また、駆動体３３には、歯車３２がコイルバネ３１により弾圧された状態となっている。
【００２３】
また、合成樹脂の成形品からなる第２の回転体３４は、図４、図１８〜図２０に示すように、中心部に孔を設けた板状部３４ａと、筒部３４ｂと、板状部３４ａに設けられた凹凸部３４ｃと、筒部３４ｂ内に設けられた歯車部３４ｄとを有し、この回転体３４は、筒部３４ｂを支持部材３０の収容部３０ａ内に挿入して、回転可能に取り付けられている。
この時、筒部３４ｂ内には歯車３２の一部が嵌合し、歯車部３４ｄに歯車３２が噛み合った状態となっている。
そして、操作軸２２の回転時、歯車３２を介して回転体３４が回転できると共に、操作軸２２をコイルバネ３１のバネ性に抗してプルした時、歯車３２は、歯車部３４ｄとの噛み合いが外れて、第１の回転体２８の歯車部２８ｃに噛み合い、操作軸２２のプル状態における回転によって、歯車３２を介して回転体２８が回転できるようになっている。
【００２４】
また、金属板からなる導電パターン部３５が回転体３４に埋設され、この導電パターン部３５は回転体３４の裏面に露出すると共に、回転体３４の板状部３４ａと支持部材３０との間には、バネ板３６が設けられ、回転体３４の回転時、凹凸部３４ｃがバネ板３６に係脱して、回転体３４の回転に節度を持たせるようになっている。
【００２５】
また、合成樹脂の成形品からなり、中央部に凹部３７ａを有するケース３７には、金属板からなる一対の固定接点３８、３９と、金属のバネ板からなり、一端に摺動子片部を有する接片４０の中央部が埋設され、このケース３７は、支持部材３０に適宜手段により取り付けられ、このケース３７が取り付けられた時、接片４０の摺動子片部は、導電パターン部３５に接離可能となり、回転体３４に設けた導電パターン部３５と接片４０とで、回転型電気部品であるエンコーダを形成している。
また、金属のバネ板からなり、腕部４１ａを有する可動接点４１は、ケース３７の凹部３７ａ内に収納され、この可動接点４１は、その周辺部が一方の固定接点３８に常時接触すると共に、腕部４１ａがもう一方の固定接点３９から離れて、対向した状態となっている。
【００２６】
また、ゴムからなるドーム状のゴム部材４２は、ケース３７の凹部３７ａに位置した状態で、ケース３７と駆動体３３との間に配置され、このゴム部材４２は、常時、駆動体３３に当接した状態となっている。
そして、ゴム部材４２が下方に変形して、可動接点４１の腕部４１ａを押圧した時は、腕部４１ａが固定接点３９に接触して、固定接点３８と３９間をＯＮとし、また、ゴム部材４２が自己のバネ性で元の状態に戻ると、腕部４１ａも元に戻り、固定接点３８と３９間はＯＦＦとなり、固定接点３８、３９と可動接点４１とでプッシュスイッチが形成されている。
また、合成樹脂の成形品からなるカバー４３は、ケース３７の後部に載置されて固定接点３８、３９の後方部を覆っている。
また、金属板からなる取付板４４は、前面部４４ａと、腕部４４ｂとを有し、この取付板４４は、軸受け２１の前面に載置されて、腕部４４ｂにより、軸受け２１、ケース３７、カバー４３を一体的に組み合わせている。
【００２７】
そして、上記のようなプッシュスイッチ付き回転型電気部品の操作は、図４において操作軸２２を回転すると、歯車３２を介して第２の回転体３４が節度を持って回転すると共に、導電パターン部３５も回転し、導電パターン部３５が接片４０に接離して、回転型電気部品であるエンコーダの操作が行われる。
また、操作軸２２をプッシュすると、操作軸２２と歯車３２とはスプライン結合されており、摺動動作を行うと共に、操作軸２２の移動により駆動体３３を介してゴム部材４２が変形して、ゴム部材４２が腕部４１ａを押圧し、固定接点３８、３９がＯＮとなり、次に、操作軸２２のプッシュを解除すると、ゴム部材４２が自己のバネ性で元の状態に戻ると、腕部４１ａも元に戻り、固定接点３８、３９間はＯＦＦとなり、プッシュスイッチの操作が行われる。
なお、頭部２２ｃの外径と、ゴム部材４２の円形の上面は、ほぼ同径であるが、この頭部２２ｃの両側面の平坦部間の距離は短い。
従って、両者のセンターズレがある場合には、駆動体３３がないとゴム部材４２の上面を垂直に押すことができず、傾いた状態で押されることとなるので、操作感が悪く、また、寿命の低下を来すが、本実施例においては、頭部２２ｃの後端面と駆動体３３の後端面が面一になるように構成されて、ゴム部材４２の上面を押すことになり、十分に広い面での押圧となるから垂直に押圧可能となり、そのような問題がない。
【００２８】
次に、操作軸２２をコイルバネ３１に抗してプルすると、図５に示すように、駆動体３３により歯車３２がプルされて、歯車３２は、第２の回転体３４の歯車部３４ｄの噛み合いから第１の回転体２８の歯車部２８ｃへの噛み合いとなる。
この状態で操作軸２２を回転すると、歯車３２、及び第１の回転体２８を介して回転部２６が回転して、摺動子２７が抵抗体上を摺動し、回転型電気部品である回転型可変抵抗器の操作が行われる。
また、操作軸２２の回転を続けると、バネ板２９の凸部２９ａが支持部材３０の溝部３０ｃに嵌入して、抵抗体のセンターを感知できると共に、更に、操作軸２２の回転を続けると、回転体２８のストッパー部２８ｅが絶縁基体２３のストッパー部２５ｂにぶつかり、操作軸２２の回転を停止し、そして、操作軸２２を反対方向に回転すると、前記と同様な動作を行うようになっている。
そして、次に、操作軸２２のプル動作を解除すると、コイルバネ３１により歯車３２、駆動体３３、及び操作軸２２が図４に示すような元の状態に押し戻されて、歯車３２が第２の回転体３４の歯車部３４ｄに噛み合った状態となる。
このようにして、プッシュスイッチ付き回転型電気部品の操作が行われるようになっている。
【００２９】
【発明の効果】
本発明のプッシュスイッチ付き回転型電気部品は、操作軸２の軸方向に対して直角方向から駆動体３の溝部３ｂを、操作軸２の首部２ｄに嵌合して、操作軸２の大径部２ａと頭部２ｃとの間で駆動体３を挟持して取り付けたため、駆動体３の操作軸２への取付における軸方向の寸法を小さくでき、軸方向に小型のプッシュスイッチ付き回転型電気部品を提供できる。
また、駆動体３は直角方向から取り付けられるため、従来のような軸方向から取り付けられるものに比し、駆動体３の軸方向の遊びを少なくできて、駆動体３のガタツキの少ないプッシュスイッチ付き回転型電気部品を提供できる。
また、非円形状の頭部２ｃを、駆動体３に設けた非円形状の凹部３ｄに嵌合し、頭部２ｃの後端面と駆動体３の後端面とを面一になるようにしたため、駆動体３と操作軸２とでゴム部材１２を操作することができ、操作性が確実で、長寿命のプッシュスイッチ付き回転型電気部品を提供できる。
また、駆動体３の溝部３ｂの奥部と凸部３ｃとで操作軸２の首部２ｄを保持したものであるため、駆動体３の操作軸２からの抜け止めを行うことができ、駆動体３の組み込み以後の組立が容易で、生産性の良好なプッシュスイッチ付き回転型電気部品を提供できる。
また、駆動体３で軸受け１からの抜け止めを行うことにより、従来のような止め具を必要とせず、安価で、生産性の良好なプッシュスイッチ付き回転型電気部品を提供できる。
【図面の簡単な説明】
【図１】  本発明のプッシュスイッチ付き回転型電気部品の１実施例を示す断面図。
【図２】  本発明のプッシュスイッチ付き回転型電気部品の１実施例における駆動体と操作軸の要部の分解斜視図。
【図３】  本発明のプッシュスイッチ付き回転型電気部品の１実施例における駆動体と操作軸の要部の斜視図。
【図４】  本発明のプッシュスイッチ付き回転型電気部品の参考例を示す断面図。
【図５】  本発明のプッシュスイッチ付き回転型電気部品の参考例の動作を説明するための要部の断面図。
【図６】  本発明のプッシュスイッチ付き回転型電気部品の参考例における駆動体と操作軸の要部の分解斜視図。
【図７】  本発明のプッシュスイッチ付き回転型電気部品の参考例における駆動体と操作軸の要部の斜視図。
【図８】  本発明のプッシュスイッチ付き回転型電気部品の参考例に係る軸受けの平面図。
【図９】  図８の９ー９線における断面図。
【図１０】  本発明のプッシュスイッチ付き回転型電気部品の参考例に係る絶縁基体の平面図。
【図１１】  本発明のプッシュスイッチ付き回転型電気部品の参考例に係る絶縁基体の正面図。
【図１２】  本発明のプッシュスイッチ付き回転型電気部品の参考例における第１の回転体にバネ板を取り付けた状態を示す裏面図。
【図１３】  本発明のプッシュスイッチ付き回転型電気部品の参考例における第１の回転体にバネ板を取り付けた状態を示す側面図。
【図１４】  本発明のプッシュスイッチ付き回転型電気部品の参考例に係る支持部材の平面図。
【図１５】  図１４の１５ー１５線における断面図。
【図１６】  本発明のプッシュスイッチ付き回転型電気部品の参考例に係る歯車の平面図。
【図１７】  図１６の１７ー１７線における断面図。
【図１８】  本発明のプッシュスイッチ付き回転型電気部品の参考例に係る第２の回転体の平面図。
【図１９】  本発明のプッシュスイッチ付き回転型電気部品の参考例に係る第２の回転体の側面図。
【図２０】  本発明のプッシュスイッチ付き回転型電気部品の参考例に係る第２の回転体の下面図。
【図２１】  本発明のプッシュスイッチ付き回転型電気部品の参考例に係る取付板の平面図。
【図２２】  本発明のプッシュスイッチ付き回転型電気部品の参考例に係る取付板の側面図。
【図２３】  従来のプッシュスイッチ付き回転型電気部品の断面図。
【図１】
0003856569.tif 000002
【図２】
0003856569.tif 000003
【図３】
0003856569.tif 000004
【図４】
0003856569.tif 000005
【図５】
0003856569.tif 000006
【図６】
0003856569.tif 000007
【図７】
0003856569.tif 000008
【図８】
0003856569.tif 000009
【図９】
0003856569.tif 000010
【図１０】
0003856569.tif 000011
【図１１】
0003856569.tif 000012
【図１２】
0003856569.tif 000013
【図１３】
0003856569.tif 000014
【図１４】
0003856569.tif 000015
【図１５】
0003856569.tif 000016
【図１６】
0003856569.tif 000017
【図１７】
0003856569.tif 000018
【図１８】
0003856569.tif 000019
【図１９】
0003856569.tif 000020
【図２０】
0003856569.tif 000021
【図２１】
0003856569.tif 000022
【図２２】
0003856569.tif 000023
【図２３】
0003856569.tif 000024